(57)【要約】      （修正有）【課題】掃除機およびバッテリーを同時に充電することができ、必要に応じてスタンド型又は壁掛け型として使用できる掃除機据置台を提供する。【解決手段】一側面に係る掃除機据置台１０は、掃除機を充電するための第１充電端子１１３が備えられる第１本体１１０；前記第１本体１１０から突出し、前記掃除機を支持する第２本体；および前記第２本体の一面に陥没して形成され、前記掃除機から分離可能に装着されるバッテリー３０２を収容するためのバッテリー収容空間を含み、前記第２本体には、前記バッテリー３０２を充電するための第２充電端子が備えられる。【選択図】図１
2020108820.tif 000002
【特許請求の範囲】
【請求項１】
掃除機本体と、前記掃除機本体に連結される延長管を含む掃除機を支持する掃除機据置台であって、
第１本体と、
前記第１本体から突出し、上面が前記掃除機本体を支持する第２本体と、
前記第２本体の上面から下方に陥没して形成され、前記掃除機本体から分離されたバッテリーを収容するバッテリー収容空間と、
底面に支持されるベースと、
前記第１本体から前記ベースに延長される支持台と、を備えてなり、
前記掃除機本体が前記第２本体の上面に支持された状態で、前記延長管は前記ベースに向かって延長される、掃除機据置台。
【請求項２】
前記掃除機本体は、前記バッテリー収容空間の少なくとも一部をカバーする、請求項１に記載の掃除機据置台。
【請求項３】
前記掃除機本体は、
塵を分離するための塵分離部と、
前記塵分離部から分離された塵が貯蔵される塵箱と、を備えてなり、
前記塵箱が前記バッテリー収容空間をカバーする、請求項２に記載の掃除機据置台。
【請求項４】
前記掃除機本体は、
塵を分離するための塵分離部と、
前記塵分離部から分離された塵が貯蔵される塵箱とを備えてなり、
前記塵箱が前記第２本体の上面に支持される、請求項１に記載の掃除機据置台。
【請求項５】
前記掃除機は、前記延長管に連結される吸込ノズルを更に備えてなり、
前記ベースの上面は、前記吸込ノズルを支持する、請求項１に記載の掃除機据置台。
【請求項６】
前記第２本体の下面には、アクセサリーを固定するための連結部が備えられ、
前記連結部は、前記延長管と前記支持台との間に位置される、請求項１に記載の掃除機据置台。
【請求項７】
前記第２本体には、前記バッテリー収容空間に収容されたバッテリーを把持するための空間を提供する第１溝部が備えられる、請求項１に記載の掃除機据置台。
【請求項８】
前記掃除機本体が前記第２本体の上面に支持された状態で、前記掃除機本体は前記第１溝部をカバーする、請求項７に記載の掃除機据置台。
【請求項９】
前記第１本体の前面には、前記バッテリー収容空間に収容されたバッテリーを把持するための空間を提供する第２溝部が備えられる、請求項７に記載の掃除機据置台。
【請求項１０】
前記バッテリー収容空間は、前記第１溝部と前記第２溝部との間に位置される、請求項９に記載の掃除機据置台。
【請求項１１】
前記第１本体には、前記掃除機を充電するための第１充電端子が備えられ、
前記第２本体のバッテリー収容空間には、前記掃除機本体から分離されたバッテリーを充電するための第２充電端子が備えられる、請求項１に記載の掃除機据置台。
【請求項１２】
前記第２本体の下面には、アクセサリーを固定するための連結部が備えられ、
前記第２充電端子は、前記連結部より高く位置される、請求項１１に記載の掃除機据置台。
【請求項１３】
前記掃除機本体から分離されたバッテリーが前記バッテリー収容空間に収容された状態で、前記バッテリーの上端部は、前記第１充電端子と前記第２充電端子との間に位置される、請求項１１に記載の掃除機据置台。
【請求項１４】
前記第１本体の下面には、前記支持台が結合されるための陥没した形態のスタンド結合部が備えられる、請求項１に記載の掃除機据置台。
【請求項１５】
前記第２本体は、前記掃除機本体の支持をガイドする掃除機ガイドを備えてなり、
前記掃除機ガイドは、前記バッテリー収容空間に収容されたバッテリーの上端より高く位置される、請求項１に記載の掃除機据置台。                                                                                  
【発明の詳細な説明】
【技術分野】
【０００１】
本明細書は、掃除機据置台に関する。
【背景技術】
【０００２】
掃除機は、掃除対象領域の塵埃や異物を吸い込んだり拭いて掃除を行う機器である。
【０００３】
このような掃除機は、使用者が直接掃除機を移動させながら掃除を行うための手動掃除機と、自律走行しながら掃除を行う自動掃除機に区分され得る。手動掃除機は、掃除機の形態により、キャニスタタイプ掃除機、アップライトタイプ掃除機、ハンディ型掃除機、スティック型掃除機などに区分され得る。
【０００４】
上述した掃除機は、充電式バッテリーを内蔵するように構成され、充電式バッテリーは、随時充電されて初めて掃除機の動作のための電源を供給することができる。したがって、掃除機は充電式バッテリーを充電すると共に掃除機を据え置くことができる据置台を必要とする。
【０００５】
先行文献である大韓民国登録特許公報第１０-２０１２-０１０３９５６号には真空掃除機据置台に対する内容が開示されている。
【０００６】
先行文献の真空掃除機据置台は、真空掃除機を充電すると共に据え置くように、真空掃除機のヘッドを据え置くための受け台および真空掃除機を充電するための充電ピンが備わった支持台を含む。
【０００７】
一方、先行文献の真空掃除機据置台は、下中心の真空掃除機を据え置くためのものであって、真空掃除機の下側に支持片が挿入されることによって真空掃除機を支持する。但し、上中心の掃除機の場合、充電端子が上側に備えられなければならないので、先行文献の掃除機据置台で据え置くことが不可能であるという問題がある。
【発明の概要】
【発明が解決しようとする課題】
【０００８】
本発明の目的は、掃除機およびバッテリーを同時に充電することができ、必要に応じてスタンド型又は壁掛け型として使用できる掃除機据置台を提供することにある。
【０００９】
本発明の目的は、底面によって支持されるタイプとして使用できる掃除機据置台を提供することにある。
【課題を解決するための手段】
【００１０】
一側面に係る掃除機据置台は、掃除機を充電するための第１充電端子が備えられる第１本体；前記第１本体から突出し、前記掃除機を支持する第２本体；および前記第２本体の一面に陥没して形成され、前記掃除機から分離可能に装着されるバッテリーを収容するためのバッテリー収容空間を含み、前記第２本体には、前記バッテリーを充電するための第２充電端子が備えられる。
【００１１】
他の側面に係る掃除機据置台は、壁面に固定できる掃除機据置台であって、背面が壁面に固定され、前面に掃除機を充電するための第１充電端子が備えられ、前記前面に掃除機の第１面が接触する第１本体；前記第１本体から突出して形成され、上面が前記掃除機の第２面を支持する第２本体；および前記第１本体に備えられ、前記掃除機と結合されるロ
ッキング部を含む。
【００１２】
また、他の側面に係る掃除機据置台は、底面に置かれて用いられる掃除機据置台であって、下面が底面に置かれ、上面に掃除機を充電するための第１充電端子が備えられ、前記上面に掃除機の第１面が接触する第１本体；前記第１本体から上方に突出して形成され、側面が前記掃除機の第２面を支持する第２本体；および前記第１本体に備えられ、前記掃除機と結合されるロッキング部を含む。
【図面の簡単な説明】
【００１３】
【図１】本発明の一実施例に係る掃除機据置台の斜視図である。
【図２】図１の掃除機据置台の正面図である。
【図３】図１の掃除機据置台の背面図である。
【図４】掃除機据置台に掃除機が据え置かれた様子を示す図である。
【図５ａ】掃除機が支持部に結合される様子を示す図である。
【図５ｂ】ロッキング部が掃除機に結合される様子を示す図である。
【図６】掃除機据置台から余分のバッテリーが分離された様子を示す図である。
【図７】充電台からノズルが分離された様子を示す図である。
【図８】充電台が支持台から分離された様子を示す図である。
【図９】掃除機が据え置かれた充電台が壁面に装着された様子を示す図である。
【図１０】充電台が底面によって支持される様子を示す図である。
【発明を実施するための形態】
【００１４】
以下、本発明の一部の実施例を例示的な図面を通じて詳細に説明する。各図面の構成要素に参照符号を付けることにおいて、同一の構成要素に沿っては、たとえ他の図面上に示されてもできるだけ同じ符号を付けたことに留意しなければならない。また、本発明の実施例を説明することにおいて、関連した公知の構成または機能に沿っての具体的な説明が本発明の実施例に対する理解を妨害すると判断される場合にはその詳細な説明は省略する。
【００１５】
また、本発明の構成要素を説明することにおいて、第１、第２、Ａ、Ｂ、（ａ）、（ｂ）等の用語を使用し得る。このような用語は、単にその構成要素を他の構成要素と区別するためのものであり、その用語によって該当構成要素の本質や順序または手順などが限定されることはない。ある構成要素が他の構成要素に「連結」、「結合」または「接続」されると記載された場合、その構成要素はその他の構成要素に直接的に連結されるかまたは接続され得るが、各構成要素の間にまた他の構成要素が「連結」、「結合」または「接続」され得ると理解されるべきである。
【００１６】
図１は、本発明の一実施例に係る掃除機据置台の斜視図であり、図２は、図１の掃除機据置台の正面図であり、図３は、図１の掃除機据置台の背面図であり、図４は、掃除機据置台に掃除機が据え置かれた様子を示す図である。
【００１７】
図１ないし図４を参照すると、本発明の一側面に係る掃除機据置台１０は、掃除機３００を充電するための充電台１００を含む。前記充電台１００は、前記掃除機３００を支持すると共に前記掃除機３００に備えられたバッテリーを充電することができる。
【００１８】
前記掃除機３００は、吸込モーターが備えられた掃除機本体３１０、バッテリーが収容されるバッテリーハウジング３２０、延長管３３０および吸込ノズル３４０を含むことができる。前記掃除機本体３１０は、塵埃を分離するための塵埃分離部３１２と、前記塵埃分離部３１２から分離された塵埃が集塵される集塵筒３１４とを含むことができる。前記掃除機本体３１０で発生した吸込力によって外部の空気は、前記吸込ノズル３４０および
前記延長管３３０を通じて流入されて前記掃除機本体３１０に備えられた集塵筒３１４に移動することができる。以下、前記掃除機３００に関する具体的な説明は省略する。
【００１９】
前記充電台１００は、第１本体１１０と第２本体１１０ａとを含む。
【００２０】
前記第１本体１１０には、充電端子１１３（または第１充電端子）が備えられる。前記充電端子１１３は、前記掃除機３００の端子と接触して前記掃除機３００に備えられたバッテリーを充電することができる。
【００２１】
前記第２本体１１０ａには、余分のバッテリー３０２が収容され得る。前記第２本体１１０ａには、前記余分のバッテリー３０２を充電するための充電端子（図６の１１７ｄ参照）（または第２充電端子）がさらに備えられ得る。
【００２２】
前記充電台１００には、余分のノズル３０３、３０４が結合され得る。前記ノズル３０３、３０４は、掃除機３００などに脱着可能であり得る。一般的に掃除機は、交換可能な吸込ノズルを用途により複数備えることができる。したがって、使用しない吸込ノズルは保管が不便な短所があるが、このように前記吸込ノズル３０３、３０４を前記充電台１００に結合された状態で保管するようになると、紛失の危険が減少し、使用者はこれを容易に使用することができる。前記余分のノズル３０３、３０４をアクセサリーと称することができる。
【００２３】
前記第１本体１１０の背面１１１には、前記充電台１００を壁面などに固定するための固定部１１５ａ、１１５ｂが備えられ得る。これに伴い、前記充電台１００は壁面に固定され得る。一例として、前記固定部１１５ａ、１１５ｂは、孔または溝形状に形成され得る。これに伴い、前記固定部１１５ａ、１１５ｂの壁面に設けられた釘などが挿入されることによって、前記第１本体１１０が壁面に固定され得る。
【００２４】
前記第２本体１１０ａには、前記掃除機本体３１０を支持するための支持部１１２が備えられ得る。前記支持部１１２は、前記掃除機本体３１０を下方から支持することができる。
【００２５】
前記充電台１００は、前記第１本体１１０に備えられるロッキング部１２０をさらに含むことができる。前記ロッキング部１２０は、前記掃除機３００と結合して前記掃除機３００を安定的に固定することができる。
【００２６】
具体的に、前記ロッキング部１２０は、前記バッテリーハウジング３２０と結合して前記掃除機３００を支持することができる。前記ロッキング部１２０の内周面は、前記バッテリーハウジング３２０の外周面を囲むように前記バッテリーハウジング３２０の外周面と対応する形状に形成され得る。
【００２７】
使用者は、前記ロッキング部１２０を前後方に選択的に回転させて前記バッテリーハウジング３２０と結合させることができる。前記ロッキング部１２０には、使用者が把持することが容易となるように摩擦力が提供される滑り防止部１２２が備えられ得る。前記滑り防止部１２２は、前記ロッキング部１２０の外周面から突出した複数の突起を含むことができる。
【００２８】
前記掃除機据置台１０は、前記充電台１００を支持するためのスタンド２００をさらに含むことができる。
【００２９】
前記スタンド２００は、底面に支持されるベース２１０および前記ベース２１０に備え
られる支持台２２０を含むことができる。前記支持台２２０は、前記充電台１００から分離可能に結合され得る。
【００３０】
前記支持台２２０は、前記ベース２１０から鉛直方向に延びることができる。 前記支
持台２２０には、前記充電台１００に備えられた電線１１４が結合され得る。前記電線１１４は、前記第１本体１１０の背面１１１から延びて外部電源と連結され得る。
【００３１】
前記ベース２１０は、前記掃除機３００の吸込ノズル３４０が据え置かれる傾斜面２１３および前記掃除機３００の吸込ノズル３４０の離脱を防止するためのストッパー２１５とを含むことができる。
【００３２】
前記ストッパー２１５は、前記傾斜面２１３の端部から突出して形成され得る。前記ストッパー２１５は、前記吸込ノズル３４が前記ベース２１０に安定的に安着した状態を維持できるように支持する役割をする。
【００３３】
以下では、前記据置台１０に前記掃除機３００が結合される方法について説明する。
【００３４】
図５は、充電台に掃除機が結合される様子を示す図である。具体的に、図５の（ａ）は、掃除機が支持部に結合される様子を示し、図５の（ｂ）は、ロッキング部が掃除機に結合される様子を示す。
【００３５】
図５を参照すると、前記第２本体１１０ａには、前記掃除機本体３１０の動きをガイドするための掃除機ガイド１１６が備えられ得る。
【００３６】
前記掃除機ガイド１１６は、前記支持部１１２の内側に備えられ得る。これに従い、 
前記掃除機本体３１０は。前記支持部１１２に支持された状態で前記掃除機ガイド１１６に沿って前後方に移動することができる。示されたように、前記掃除機本体３１０は、前記掃除機ガイド１１６に沿って移動して前記充電端子１１３と接触することができる。
【００３７】
前記ロッキング部１２０は、前記第１本体１１０に所定の角度範囲内で回転可能に連結され得る。図５の（ａ）は、前記ロッキング部１２０が後方（図５の（ａ）で時計方向）に最大限回転した状態を示す。
【００３８】
前記第１本体１１０には、前記ロッキング部１２０に弾性力を加えるための弾性部材（図示せず）が備えられ得る。前記ロッキング部１２０が後方に回転した状態では、前記弾性部材（図示せず）は、前記ロッキング部１２０が後方に回転した状態を維持するように後方に弾性力を加えることができる。
【００３９】
前記ロッキング部１２０には、押え部１２３が備えられ得る。前記押え部１２３は、前記ロッキング部１２０の内側に備えられ得る。前記押え部１２３は、前記掃除機本体３１０が前記掃除機ガイド１１６に沿って移動する過程で前記バッテリーハウジング３２０により加圧され得る。
【００４０】
前記バッテリーハウジング３２０が前記押え部１２３を加圧すると、前記ロッキング部１２０が作動することがある。
【００４１】
具体的に、前記ロッキング部１２０が作動すると、前記ロッキング部１２０は、前方（図５の（ｂ）で半時計方向）に回転して前記バッテリーハウジング３２０の外周面と結合することができる。これに伴い、前記ロッキング部１２０は、前記バッテリーハウジング３２０の少なくとも一部をカバーすることができる。
【００４２】
前記ロッキング部１２０が前方に回転すると、前記弾性部材（図示せず）は、前記ロッキング部１２０が前方に回転した状態を維持するように弾性力を提供することができる。これに伴い、前記ロッキング部１２０は、前記バッテリーハウジング３２０を前記第１本体１１０に固定する役割をすることができる。
【００４３】
図６は、掃除機据置台から余分のバッテリーが分離された様子を示す図である。
【００４４】
図６を参照すると、前記充電台１００は、前記余分のバッテリー３０２を収容するための第２本体１１０ａをさらに含むことができる。
【００４５】
前記第２本体１１０ａは、前記第１本体１１０から突出することができる。前記第２本体１１０ａには、余分のバッテリーが収容されるためのバッテリー収容空間１１７ａが形成され得る。前記バッテリー収容空間１１７ａは、前記第２本体１１０ａの一面から下方に陥没して形成され得る。また、前記バッテリー収容空間１１７ａ は、前記支持部１１
２および前記掃除機ガイド１１６の内側に備えられ得る。
【００４６】
前記バッテリー収容空間１１７ａの内側には、前記余分のバッテリー３０２を充電するための充電端子１１７ｄが備えられ得る。
【００４７】
前記第１本体１１０および前記第２本体１１０ａには、使用者が前記バッテリー収容部１１７ａに収容された余分のバッテリーを把持することが容易となるようにするための溝部１１７ｂ、１１７ｃが形成され得る。
【００４８】
前記溝部１１７ｂ、１１７ｃは、前記バッテリー収容空間１１７ａの前方に備えられる第１溝部１１７ｂと、前記バッテリー収容空間１１７ａの後方に備えられる第２溝部１１７ｃとを含むことができる。
【００４９】
図７は、充電台からノズルが分離された様子を示す図である。
【００５０】
図７を参照すると、前記充電台１００には、前記余分のノズル３０３、３０４が選択的に結合される連結部１１８ａ、１１８ｂが備えられる。前記連結部１１８ａ、１１８ｂは、前記充電台１００の一側から延びることができる。前記連結部１１８ａ、１１８ｂは、一例として、前記第１本体１１０または前記第２本体１１０ａに備えられ得る。
【００５１】
使用者は、必要に応じてそれぞれのノズル３０３、３０４を前記連結部１１８ａ、１１８ｂに脱着することができる。これに伴い、前記余分のノズル３０３、３０４の保管および使用が容易になるので使用者の便宜性が向上し得る。
【００５２】
ここで、前記スタンド２００が前記充電台１００のスタンド結合部１１９に結合された状態で前記連結部１１８ａ、１１８ｂは、前記スタンド２００の前方に位置する。
【００５３】
図８は、充電台が支持台から分離された様子を示す図であり、図９は、掃除機が据え置かれた充電台が壁面に装着された様子を示す図である。
【００５４】
図８および図９を参照すると、前記第１本体１１０には、前記支持台２２０が結合される結合部１１９が形成され得る。前記支持台２２０は、前記結合部１１９に分離可能に結合され得る。これに伴い、使用者は前記充電台１００と前記支持台２２０を容易に分離することができる。
【００５５】
必要に応じて、使用者は、前記固定部１１５ａ、１１５ｂを利用して前記支持台２２０が分離された充電台１００を壁面２に固定することができる。
【００５６】
本発明の掃除機据置台を壁掛け型として利用する場合には、充電台からスタンドが脱去された状態で充電台を壁面に密着させて固定できるので、空間活用度に優れるという長所がある。
【００５７】
図１０は、充電台本体が底面によって支持される様子を示す図である。
【００５８】
図１０を参照すると、前記第１本体１１０の背面１１１は底面によって支持され得る。これのために前記第１本体１１０の背面１１１は平らな形状に形成され得る。このように、前記充電台１００は、使用状況によって多様な方法で据え置かれ得るので、使用者の便宜性が増大することができる。
【００５９】
本発明の掃除機据置台を床置き型として利用する場合には、スタンド型や壁掛け型とは異なり、充電台の設置のための別の部材が必要でないので、設置が容易であり、重心が下側に位置することによって転倒の危険が最小化されるという長所がある。
【図１】
2020108820.tif 000003
【図２】
2020108820.tif 000004
【図３】
2020108820.tif 000005
【図４】
2020108820.tif 000006
【図５ａ】
2020108820.tif 000007
【図５ｂ】
2020108820.tif 000008
【図６】
2020108820.tif 000009
【図７】
2020108820.tif 000010
【図８】
2020108820.tif 000011
【図９】
2020108820.tif 000012
【図１０】
2020108820.tif 000013